(57)【要約】【課題】あらゆる土壌条件においても適正な局所施肥作業が行え、且つ、安価な局所施肥装置を提供する。【解決手段】機枠と、この機枠に取付けられ、機体の進行方向に対し交差する方向を回転中心に回転する掘削駆動ケースと、この掘削駆動ケースより放射状に延設され、延設方向を回転中心とし自転する螺旋状の掘削爪と、この掘削爪に併設され、内部を筒状とし先端部に施肥開口部を開口した施肥パイプとからなる掘削施肥部を設けたことことにより、掘削穴を開口する工程において螺旋状とした掘削爪を用いたため掘削抵抗が少なくなり砕土性も向上するので、土壌条件の固い圃場においても所定の掘削深さとし土中施肥作業がスムーズに行える。【選択図】      図１
2004350584.tif 000002
【特許請求の範囲】
【請求項１】
機枠と、この機枠に取付けられ、機体の進行方向に対し交差する方向を回転中心に回転する掘削駆動ケースと、この掘削駆動ケースより放射状に延設され、延設方向を回転中心とし自転する螺旋状の掘削爪と、この掘削爪に併設され、内部を筒状とし先端部に施肥開口部を開口した施肥パイプとからなる掘削施肥部を設けたことを特徴とした局所施肥装置。
【請求項２】
機枠に、トラクタへ装着可能とするトラクタ装着装置を設けたことを特徴とした請求項１記載の局所施肥装置。
【発明の詳細な説明】
【０００１】
【発明の属する技術分野】
本発明は、局所的に土壌を掘削し、土中に肥料を施肥する局所施肥装置に関する。
【０００２】
【従来の技術】
従来技術として、本体の進行方向に対して交差方向を取るように本体に取付られるとともに駆動体回転軸の回転方向と同方向に回転される掘削刃回転軸と、掘削刃回転軸から放射状をとるように掘削刃回転軸に基部が取り付けられ掘削刃回転軸を回転中心として回転されるとともに、基部から先端方向に延長される仮想中心線を回転中心として回転される螺旋刃と、掘削刃回転軸を回転中心として回転される螺旋刃の回転方向後方に掘削刃回転軸から放射状をとるように掘削刃回転軸に基部が取り付けられるとともに、筒状からなり内部に供給される肥料を先端から放出する肥料放出管とから構成され、螺旋刃と肥料放出管すなわち施肥パイプを回転させながら進行し、螺旋刃を土壌に対し局所的に掘削しながら施肥パイプを突き刺し、パイプ内を通過する肥料を土中に施肥する施肥装置が公知である。（特許文献１）
【０００３】
【特許文献１】
特開２００１‐６１３１８号公報
【０００４】
【発明が解決しようとする課題】
しかしながら、従来技術の構成では、螺旋刃はコイル状のコイル刃にて構成しされるため高価である。又、コイル刃の先端部のみを鋭角とし中間部は円筒状の曲面であるため、土壌条件の固い圃場では、掘削抵抗が大きく所定の砕土深さが得られず、肥料供給管を土中に突き刺すことができず施肥作業が行えないことがあった。
【０００５】
又、エンジンや走行台車などを備え自走型の構成としているため高価な局所施肥装置であった。
【０００６】
そこで本発明は、あらゆる土壌条件においても適正な局所施肥作業が行え、且つ、安価な局所施肥装置を提供することを目的とする。
【０００７】
【課題を解決するための手段】
上記課題を解決するために、機枠と、この機枠に取付けられ、機体の進行方向に対し交差する方向を回転中心に回転する掘削駆動ケースと、この掘削駆動ケースより放射状に延設され、延設方向を回転中心とし自転する螺旋状の掘削爪と、この掘削爪に併設され、内部を筒状とし先端部に施肥開口部を開口した施肥パイプとからなる掘削施肥部を設けたことことにより、掘削穴を開口する工程において螺旋状とした掘削爪を用いたため掘削抵抗が少なくなり砕土性も向上するので、土壌条件の固い圃場においても所定の掘削深さとし土中施肥作業がスムーズに行える。
【０００８】
又、機枠に、トラクタへ装着可能とするトラクタ装着装置を設けたことにより、トラクタ作業機として局所施肥装置を構成することができ、エンジンや走行台車を必要としないため安価で提供することができる。
【０００９】
【発明の実施の形態】
本発明を実施した図面に基づいて構成を説明する。図１は側面図、図２は一部断面とした平面図、図３は駆動伝達図、図４は掘削施肥部の掘削作業を示す作用図、図５は掘削施肥部の施肥作業を示す作用図である。
【００１０】
図１，図２に基づいて局所施肥装置Ａの構成を説明する。本発明における局所施肥装置Ａは、機枠１と、トラクタへ装着するためのトラクタ装着装置２と、肥料を貯留し供給する貯留供給部３と、回転駆動され圃場に掘削穴を開口し、土中に肥料を施肥する掘削施肥部４から構成される。貯留供給部３と掘削施肥部４は機体進行方向Ｆに対し側方へ突出させ配置される。
【００１１】
機枠１は、平面視コの字状としたパイプ体にて構成されたパイプフレーム１１と、このパイプフレーム１１の一端部に、トラクタ後部へ装着するトラクタ装着装置２を取り付けるための装着ブラケット１２が設けられる。又、パイプフレーム１１には、前記装着ブラケット１２を中心とし、進行方向Ｆに対し直交する外方側面方向に貯留供給部３を支持する貯留部ブラケット１３と、この貯留部ブラケット１３よりさらに外方側面方向に掘削施肥部４を回転自在に支持する掘削部支持ブラケット１４が設けられる。
【００１２】
トラクタ装着装置２は、トラクタ後部に備えられる作業機昇降装置に装着するための装着マスト２１と、トラクタＰＴＯ軸より回転駆動力が入力される入力軸２２と、この入力軸２２より貯留供給部３及び掘削施肥部４へ回転動力を伝達するドライブシャフト２３から構成される。
【００１３】
３の貯留供給部は、前記トラクタ装着装置２に備えたドライブシャフト２３が連結される施肥駆動ケース３１と、肥料を貯留するホッパ３２と、ホッパ３２の底面に開口部を形成するシャッタ３３と、シャッタ３３の上面に配置され、施肥駆動ケース３１にて駆動され、ホッパ３２内を回転するアジテータ３４と、シャッタ３３にて形成されたシャッタ開口部より吐出される肥料を掘削施肥部４へ案内する案内管３５から構成される。
【００１４】
３１の施肥駆動ケースは、前記ドライブシャフト２３が連結されるとともに貫通させ配置された施肥駆動軸３１ａと、内部に備えたウォームギヤ３１ｂと、上方に突設させたアジテータ駆動軸３１ｃにて構成され、施肥駆動軸３１ａを進行方向Ｆに対し直交させ配置される。
【００１５】
ホッパ３２は略逆四角錐状からなり、肥料を貯留可能とする。シャッタ３３は、開口部を有した底板３３ａと、底板３３ａの下面をスライド自在としたシャッタ板３３ｂからなり、底板３３ａの開口部とシャッタ板３２ｂの重合にてシャッタ開口部が形成され、重合量に応じシャッタ開度量すなわちシャッタ開口部の開口量が調節可能で、シャッタ開度量に応じてホッパ３２内に貯留した肥料の吐出量が決定される。
【００１６】
アジテータ駆動軸３１ｃの先端部に連結されシャッタ３３の上面に配置されるアジテータ３４は、ホッパ３２内を回転するこで肥料のシャッタ開口部からの吐出をスムーズに行う。
【００１７】
３５の案内管は、シャッタ３３にて形成されるシャッタ開口部と掘削施肥部４とを連結するもので、シャッタ３３のシャッタ開度量に応じ吐出される肥料が案内管３５を介して掘削施肥部４へ供給される。
【００１８】
掘削施肥部４は、前記機枠１の掘削部支持ブラケット１４にて回転可能に支持される掘削駆動ケース４１と、掘削駆動ケース４１より放射状に延設させた螺旋状の掘削爪４２と、掘削爪４２に併設された施肥パイプ４３と、この施肥パイプ４３へ肥料を供給する供給ドラム４４にて構成される。
【００１９】
掘削駆動ケース４１は、一端部を、進行方向Ｆに対し直交する方向に向け施肥駆動軸３１ａを備えた施肥駆動ケース３１の外方側面に回転自在に嵌合され、他端を機枠１の掘削部支持ブラケット１４にて回転可能に支持される。内部には施肥駆動軸３１ａと連結される掘削駆動軸４１ａとベベルギヤ４１ｂが設けてある。
【００２０】
掘削爪４２は、螺旋状に形成されてある。この掘削爪４２は、基部を前記掘削駆動ケース４１のベベルギヤ４１ｂにて回転駆動される爪軸４１ｃに取付け、放射状に延設される。延設された掘削爪４２は、延設方向を回転中心とし自転し、回転方向に対向する対向縁には鋭角とした刃部４２ａが設けられている。
【００２１】
施肥パイプ４３は、円筒状で先端部に円錐状の突刺部４３ａと、機体進行方向Ｆに対し交差する方向に施肥開口部４３ｂを有してなり、内部には、図３に示すように施肥パイプ４３の長手方向中心に、前記掘削駆動ケース４１より延設され回転する繰出軸４３ｃが設けてあり、この繰出軸４３ｃの先端部には繰出軸４３ｃの回転中心より放射状に設けた排出板４３ｄと、排出板４３ｄより掘削駆動ケース４１側の内方に螺旋状としたオーガ４３ｅからなる排出体が設けてある。
【００２２】
本実施例では、図示されるように、螺旋状とした掘削爪４２を放射方向に側面視にて一対設け、この一対の掘削爪４２の中間に施肥パイプ４３を併設し、この一対の掘削爪４２と中間に併設した施肥パイプ４３を掘削ユニットとし、この掘削ユニットを掘削駆動ケース４１を挟んで対向させるとともに９０°位相させ、２列に並べて計４個配置する。
【００２３】
４４の供給ドラムは、円錐台カバー４４ａと、第１供給管４４ｂ及び第２供給管４４ｃから構成され、円錐台カバー４４ａの径大面が掘削駆動ケース４１に取付けられ、前記貯留供給部３の案内管３５の先端部が重合する。径大面より延設される第１供給管４４ｂは、ホッパ３２側内方に備えた掘削ユニットの施肥パイプ４３の上部と連結され、第２供給管４４ｃは外方に備えた掘削ユニットの施肥パイプ４３の上部と連結される。
【００２４】
駆動伝達及び作用は、図２及び図３に示すように、トラクタ装着装置２に設けた入力軸２２へトラクタＰＴＯ軸よりユニバーサルジョイントを介し、回転駆動力が入力される。入力された回転駆動力は、ドライブシャフト２３を介し、貯留供給部３に備えた施肥駆動ケース３１の施肥駆動軸３１ａと、施肥駆動軸３１ａに連結された掘削駆動ケース４１の掘削駆動軸４１ａへ伝達される。
【００２５】
先ず、施肥駆動軸３１ａは、伝達された回転駆動力をウォームギヤ３１ｂにて減速し、上方へ突設させたアジテータ駆動軸３１ｃを回転させ、アジテータ駆動軸３１ｃの上方先端部に取付けたアジテータ３４を回転させる。
【００２６】
回転駆動されたアジテータ３４は、ホッパ３２内に貯留した肥料をシャッタ３３にて形成したシャッタ開口部よりスムーズに吐出させることができ、シャッタ開口部より吐出された肥料は案内管３５を介し掘削施肥部４の供給ドラム４４へ供給される。
【００２７】
又、掘削駆動軸４１ａは、伝達された回転駆動力にて図４に示すように、掘削駆動ケース４１を進行方向Ｆに対し順方向となるｆ１方向に回転させるとともに、掘削駆動ケース４１内部に備えたベベルギヤ４１ｂを介し、掘削駆動ケース４１より放射状に延設された螺旋状の掘削爪４２をｆ２方向へ自転させ、さらに施肥パイプ４３の内部に設けた繰出軸４３ｃを回転させ、先端部に設けた排出板４３ｄ及びオーガ４３ｅからなる排出体を回転させる。
【００２８】
施肥作業は、機体を進行させるのと同時に掘削爪４２がｆ２方向に自転しながら掘削駆動ケース４１がｆ１方向へ回転する。掘削駆動ケース４１の回転中心は、機体進行方向Ｆとともに水平移動されるので掘削爪４２及び施肥パイプ４３は圃場を局所的に掘削する。
【００２９】
自転する掘削爪４２の回転方向に対向する対向縁に刃部４２ａを設けてあるので、土壌条件の固い圃場においても掘削抵抗を少なくすることができるとともに砕土性も向上する。又、施肥パイプ４３の先端部に設けた突刺部４３ａは施肥パイプ４３を土中へ刺し込み易くしている。
【００３０】
案内管３５を介し供給ドラム４４に供給された肥料は、供給ドラム４４の円錐台カバー４４ａに一時的に貯留される。供給ドラム４４が掘削駆動ケース４１とともに第１供給管４４ｂ及び第２供給管４４ｃの開口部が肥料の貯留部にくると、肥料は第１供給管４４ｂ及び第２供給管４４ｃを通過し、施肥パイプ４３内にそれぞれ供給される。
【００３１】
施肥パイプ４３内に供給された肥料は自然落下し、施肥パイプ４３の内部先端すなわち施肥開口部４３ｂの内側に設けた排出板４３ｄ、及びオーガ４３ｅからなる排出体にて、進行方向に対し交差する方向へ開口させた施肥開口部４３ｂより強制的に土中へ放出され施肥される。
【００３２】
施肥開口部４３ｂを進行方向に対し交差する方向へ開口させたことにより、施肥パイプ４３内への土の入り込みが軽減される。排出板４３ｄ及びオーガ４３ｅからなる排出体は強制的に肥料を土中に放出するのと同時に、施肥パイプ４３内へ入り込もうとする土を排除する役目もする。
【００３３】
【発明の効果】
以上のように構成された局所施肥装置はの掘削爪は、土壌条件の固い圃場においても回転方向に対向する対向縁を鋭角としているため、掘削抵抗が少なく砕土性が向上し、施肥パイプが土中へ刺し込み易くなりスムーズに局所施肥作業が行える。
【００３４】
又、トラクタ作業機として構成されているため、従来のような自走が他の局所施肥装置に比べエンジンや走行台車を必要としないので、安価で提供することができる。
【図面の簡単な説明】
【図１】側面図
【図２】一部断面とした平面図
【図３】駆動伝達図
【図４】掘削施肥部の掘削作業を示す作用図
【図５】掘削施肥部の施肥作業を示す作用図
【符号の説明】
１      機枠
１１    パイプフレーム
１２    装着ブラケット
１３    貯留部ブラケット
１４    掘削部支持ブラケット
２      トラクタ装着装置
２１    装着マスト
２２    入力軸
２３    ドライブシャフト
３      貯留供給部
３１    施肥駆動ケース
３１ａ  施肥駆動軸
３１ｂ  ウォームギヤ
３１ｃ  アジテータ駆動軸
３２    ホッパ
３３    シャッタ
３３ａ  底板
３３ｂ  シャッタ板
３４    アジテータ
３５    案内管
４      掘削施肥部
４１    掘削駆動ケース
４１ａ  掘削駆動軸
４１ｂ  ベベルギヤ
４１ｃ  爪軸
４２    掘削爪
４２ａ  刃部
４３    施肥パイプ
４３ａ  突刺部
４３ｂ  施肥開口部
４３ｃ  繰出軸
４３ｄ  排出板
４３ｅ  オーガ
４４    供給ドラム
４４ａ  円錐台カバー
４４ｂ  第１供給管
４４ｃ  第２供給管
Ａ      局所施肥装置
Ｆ      進行方向
【図１】
2004350584.tif 000003
【図２】
2004350584.tif 000004
【図３】
2004350584.tif 000005
【図４】
2004350584.tif 000006
【図５】
2004350584.tif 000007